(57)【要約】【課題】接着層の転写領域全面に対して均一な転写状態を得ることができ、かつ、接着層の転写後の接着力を均一な状態にすることができる熱転写記録方法および熱転写記録装置を提供する。【解決手段】ライン型サーマルヘッドを用いて、中間転写リボンの受像層上にカラー画像や文字情報などを記録した後、当該受像層を通帳類の記録頁上に熱転写させるもので、その際、中間転写リボンの受像層と記録頁との接着力を向上させるために、中間転写リボンの受像層上にカラーインクリボンから接着層を転写し、その後、受像層をその上に形成された接着層を介して記録頁上に転写する熱転写記録において、カラーインクリボンから接着層を受像層上に転写する際、画像を形成した面上に転写する場合の加熱エネルギと画像を形成していない面上に転写する場合の加熱エネルギを変えて転写するように前記サーマルヘッドの各発熱体を駆動する。【選択図】      図６
2006327035.tif 000002
【特許請求の範囲】
【請求項１】
インク層および接着層がフィルム状基材の一方の表面に順次設けられているインクリボンと、このインクリボンから前記複数色のインクを転写可能な受像層がフィルム状基材の一方の表面に設けられている中間転写リボンと、複数の発熱体を列状に配設してなるライン型のサーマルヘッドとを使用し、
前記サーマルヘッドの各発熱体を選択的に加熱駆動し、前記中間転写リボンの受像層上に前記インクリボンのインクを転写することにより所望の画像を形成し、かつ、前記サーマルヘッドの各発熱体を加熱駆動することにより、前記中間転写リボンの受像層の前記画像を形成した面上に前記インクリボンから前記接着層を転写し、その後、前記中間転写リボンの画像が形成された受像層をその面上に転写された接着層を介して被記録媒体の表面に転写する熱転写記録方法であって、
前記インクリボンから前記接着層を前記中間転写リボンの受像層上に転写する際、画像を形成した面上に転写する場合の加熱エネルギと画像を形成していない面上に転写する場合の加熱エネルギを変えて転写するように前記サーマルヘッドの各発熱体を駆動することを特徴とする熱転写記録方法。
【請求項２】
インク層および接着層がフィルム状基材の一方の表面に順次設けられているインクリボンと、このインクリボンから前記複数色のインクを転写可能な受像層がフィルム状基材の一方の表面に設けられている中間転写リボンと、複数の発熱体を列状に配設してなるライン型のサーマルヘッドとを使用し、
前記サーマルヘッドの各発熱体を選択的に加熱駆動し、前記中間転写リボンの受像層上に前記インクリボンのインクを転写することにより所望の画像を形成し、かつ、前記サーマルヘッドの各発熱体を加熱駆動することにより、前記中間転写リボンの受像層の前記画像を形成した面上に前記インクリボンから前記接着層を転写し、その後、前記中間転写リボンの画像が形成された受像層をその面上に転写された接着層を介して被記録媒体の表面に転写する熱転写記録方法であって、
前記インクリボンから前記接着層を前記中間転写リボンの受像層上に転写する際、前記被記録媒体の表面が２種類以上の状態を有する場合、それぞれの表面状態に最適な加熱エネルギを設定し、この設定された加熱エネルギにて転写するように前記サーマルヘッドの各発熱体を駆動することを特徴とする熱転写記録方法。
【請求項３】
前記インクリボンは、複数色からなるカラーインク層および接着層がフィルム状基材の一方の表面に順次設けられているカラーインクリボンであることを特徴とする請求項１または請求項２記載の熱転写記録方法。
【請求項４】
前記カラーインクリボンの各インクで少なくとも黒色以外のカラー画像を形成するときは、偶数番目の画素と奇数番目の画素とを記録ラインごとに交互に形成するように前記サーマルヘッドの各発熱体を交互駆動することを特徴とする請求項３記載の熱転写記録方法。
【請求項５】
インク層および接着層がフィルム状基材の一方の表面に順次設けられているインクリボンを供給するインクリボン供給手段と、
前記インクリボンから前記複数色のインクを転写可能な受像層がフィルム状基材の一方の表面に設けられている中間転写リボンを供給する中間転写リボン供給手段と、
複数の発熱体を列状に配設してなるライン型のサーマルヘッドと、
このサーマルヘッドの各発熱体を選択的に加熱駆動し、前記中間転写リボン供給手段により供給される前記中間転写リボンの受像層上に前記インクリボン供給手段により供給される前記インクリボンのインクを転写することにより所望の画像を形成し、かつ、前記サーマルヘッドの各発熱体を加熱駆動することにより、前記中間転写リボン供給手段により供給される前記中間転写リボンの受像層の前記画像を形成した面上に前記インクリボン供給手段により供給される前記インクリボンから前記接着層を転写するサーマルヘッド駆動手段と、
前記中間転写リボンの画像が形成された受像層をその面上に転写された接着層を介して被記録媒体の表面に転写する転写手段とを有する熱転写記録装置であって、
前記サーマルヘッド駆動手段は、前記インクリボンから前記接着層を前記中間転写リボンの受像層上に転写する際、画像を形成した面上に転写する場合の加熱エネルギと画像を形成していない面上に転写する場合の加熱エネルギを変えて転写するように前記サーマルヘッドの各発熱体を駆動することを特徴とする熱転写記録装置。
【請求項６】
インク層および接着層がフィルム状基材の一方の表面に順次設けられているインクリボンを供給するインクリボン供給手段と、
前記インクリボンから前記複数色のインクを転写可能な受像層がフィルム状基材の一方の表面に設けられている中間転写リボンを供給する中間転写リボン供給手段と、
複数の発熱体を列状に配設してなるライン型のサーマルヘッドと、
このサーマルヘッドの各発熱体を選択的に加熱駆動し、前記中間転写リボン供給手段により供給される前記中間転写リボンの受像層上に前記インクリボン供給手段により供給される前記インクリボンのインクを転写することにより所望の画像を形成し、かつ、前記サーマルヘッドの各発熱体を加熱駆動することにより、前記中間転写リボン供給手段により供給される前記中間転写リボンの受像層の前記画像を形成した面上に前記インクリボン供給手段により供給される前記インクリボンから前記接着層を転写するサーマルヘッド駆動手段と、
前記中間転写リボンの画像が形成された受像層をその面上に転写された接着層を介して被記録媒体の表面に転写する転写手段とを有する熱転写記録装置であって、
前記サーマルヘッド駆動手段は、前記インクリボンから前記接着層を前記中間転写リボンの受像層上に転写する際、前記被記録媒体の表面が２種類以上の状態を有する場合、それぞれの表面状態に最適な加熱エネルギを設定し、この設定された加熱エネルギにて転写するように前記サーマルヘッドの各発熱体を駆動することを特徴とする熱転写記録装置。
【請求項７】
前記インクリボンは、複数色からなるカラーインク層および接着層がフィルム状基材の一方の表面に順次設けられているカラーインクリボンであることを特徴とする請求項５または請求項６記載の熱転写記録装置。
【請求項８】
前記サーマルヘッド駆動手段は、前記カラーインクリボンの各インクで少なくとも黒色以外のカラー画像を形成するときは、偶数番目の画素と奇数番目の画素とを記録ラインごとに交互に形成するように前記サーマルヘッドの各発熱体を交互駆動することを特徴とする請求項７記載の熱転写記録装置。
【請求項９】
被記録媒体上に、無色あるいは炎色透明の樹脂を主成分とする透明インク層、１色以上の色インクを重ねて形成された画像形成層、無色あるいは淡色な透明保護層の順に形成されている記録物であって、前記透明インク層は、前記画像形成層が形成された領域よりも大きい範囲に厚さが一様に形成されていることを特徴とする記録物。
【請求項１０】
被記録媒体上に、無色あるいは炎色透明の樹脂を主成分とする透明インク層、１色以上の色インクを重ねて形成された第１の画像領域と１色以上の色インクとＵＶ励起型の蛍光顔料を含むインクとが重なって形成された第２の画像領域と１色の色インクから形成された第３の画像領域とＵＶ励起型の蛍光顔料を含むインクから形成された第４の画像領域と画像が形成されていない非画像領域とからなる画像形成層、無色あるいは淡色な透明保護層の順に形成されている記録物であって、前記透明インク層は、前記画像形成層の中で画像が形成された領域よりも大きい範囲に厚さが一様に形成されていることを特徴とする記録物。
【発明の詳細な説明】
【技術分野】
【０００１】
本発明は、たとえば、個人認証用のカードや通帳あるいは金融機関における預金通帳などの通帳類（被記録媒体）に対しカラー画像や文字情報などを熱転写記録する熱転写記録方法および熱転写記録装置に関する。  
また、本発明は、上記熱転写記録方法および熱転写記録装置によりカラー画像や文字情報などが熱転写記録された記録物に関する。
【背景技術】
【０００２】
たとえば、個人認証用のカードや通帳あるいは金融機関における預金通帳などの通帳類に対しカラー画像（顔画像等）や文字情報（個人情報等）などを熱転写記録する熱転写記録装置は、一般的に広く知られている（たとえば、特許文献１、特許文献２参照）。  
一方、通帳類に記録された固有の文字情報（個人情報など）の偽造防止効果を目的として、透明な保護膜を通帳類の文字情報を記録したページの表面にオーバーコートすることが最近求められている。通帳類への画像や文字情報の記録と表面の保護膜の形成とを同時に行なう方法として、中間転写リボンを用いた熱転写記録方法が考えられる（たとえば、特許文献１、特許文献２参照）。  
【特許文献１】特許第３４６５１１０号公報
【特許文献２】特開２００３−９４７０１号公報
【発明の開示】
【発明が解決しようとする課題】
【０００３】
中間転写リボンを用いた熱転写記録方法は、多数の発熱体を列状に配列してなるライン型サーマルヘッドを用いて、中間転写リボンの受像層上にカラー画像や文字情報などを記録した後、当該受像層を通帳類の記録ページ上に熱転写させるもので、その際、中間転写リボンの受像層と通帳類の記録ページとの接着力を向上させるために、中間転写リボンの受像層上に無色あるいは炎色透明の樹脂を主成分とする透明インク層からなる接着層を転写し、その後、受像層をその上に形成された接着層を介して記録ページ上に転写するようにしている。
【０００４】
ところが、透明インク層からなる接着層の転写は、中間転写リボンの受像層のカラー画像や文字情報を形成した面上に転写しているが、その際、一様な加熱エネルギで接着層を転写した場合、カラー画像形成上と文字情報形成上と何も形成されていない領域とでは、接着層の転写状態がそれぞれ異なってしまう。  
また、被記録媒体上に表面状態が異なる物（たとえば、貼付されたシール等）がある場合、シール等がある領域と無い領域とでは、接着層の転写後の接着力が異なってしまう。
【０００５】
このように、一様な接着層（透明インク層）の転写が行なわれていない記録物については、接着力が低下し、こすれ等によって受像層が剥がれたり、偽変造しやすくなるという問題がある。
【０００６】
そこで、本発明は、接着層の転写領域全面に対して均一な転写状態を得ることができ、かつ、接着層の転写後の接着力を均一な状態にすることができる熱転写記録方法および熱転写記録装置を提供することを目的とする。  
また、本発明は、接着層の転写後の接着力を均一な状態にすることができるので、受像層のこすれ等による剥がれや偽変造の防止が図れる記録物を提供することを目的とする。
【課題を解決するための手段】
【０００７】
本発明の熱転写記録方法は、インク層および接着層がフィルム状基材の一方の表面に順次設けられているインクリボンと、このインクリボンから前記複数色のインクを転写可能な受像層がフィルム状基材の一方の表面に設けられている中間転写リボンと、複数の発熱体を列状に配設してなるライン型のサーマルヘッドとを使用し、前記サーマルヘッドの各発熱体を選択的に加熱駆動し、前記中間転写リボンの受像層上に前記インクリボンのインクを転写することにより所望の画像を形成し、かつ、前記サーマルヘッドの各発熱体を加熱駆動することにより、前記中間転写リボンの受像層の前記画像を形成した面上に前記インクリボンから前記接着層を転写し、その後、前記中間転写リボンの画像が形成された受像層をその面上に転写された接着層を介して被記録媒体の表面に転写する熱転写記録方法であって、前記インクリボンから前記接着層を前記中間転写リボンの受像層上に転写する際、画像を形成した面上に転写する場合の加熱エネルギと画像を形成していない面上に転写する場合の加熱エネルギを変えて転写するように前記サーマルヘッドの各発熱体を駆動することを特徴とする。
【０００８】
また、本発明の熱転写記録装置は、インク層および接着層がフィルム状基材の一方の表面に順次設けられているインクリボンを供給するインクリボン供給手段と、前記インクリボンから前記複数色のインクを転写可能な受像層がフィルム状基材の一方の表面に設けられている中間転写リボンを供給する中間転写リボン供給手段と、複数の発熱体を列状に配設してなるライン型のサーマルヘッドと、このサーマルヘッドの各発熱体を選択的に加熱駆動し、前記中間転写リボン供給手段により供給される前記中間転写リボンの受像層上に前記インクリボン供給手段により供給される前記インクリボンのインクを転写することにより所望の画像を形成し、かつ、前記サーマルヘッドの各発熱体を加熱駆動することにより、前記中間転写リボン供給手段により供給される前記中間転写リボンの受像層の前記画像を形成した面上に前記インクリボン供給手段により供給される前記インクリボンから前記接着層を転写するサーマルヘッド駆動手段と、前記中間転写リボンの画像が形成された受像層をその面上に転写された接着層を介して被記録媒体の表面に転写する転写手段とを有する熱転写記録装置であって、前記サーマルヘッド駆動手段は、前記インクリボンから前記接着層を前記中間転写リボンの受像層上に転写する際、画像を形成した面上に転写する場合の加熱エネルギと画像を形成していない面上に転写する場合の加熱エネルギを変えて転写するように前記サーマルヘッドの各発熱体を駆動することを特徴とする。
【０００９】
さらに、本発明の記録物は、被記録媒体上に、無色あるいは炎色透明の樹脂を主成分とする透明インク層、１色以上の色インクを重ねて形成された画像形成層、無色あるいは淡色な透明保護層の順に形成されている記録物であって、前記透明インク層は、前記画像形成層が形成された領域よりも大きい範囲に厚さが一様に形成されていることを特徴とする。
【発明の効果】
【００１０】
本発明によれば、被記録媒体上のそれぞれ異なる状態（カラー画像形成上、文字情報形成上、シール貼付上等）にそれぞれ最適な加熱エネルギを選択できるので、接着層の転写領域全面に対して均一な転写状態を得ることができ、かつ、接着層の転写後の接着力を均一な状態にすることができる熱転写記録方法および熱転写記録装置を提供できる。  
また、本発明は、接着層の転写後の接着力を均一な状態にすることができるので、受像層のこすれ等による剥がれや偽変造の防止が図れる記録物を提供できる。
【発明を実施するための最良の形態】
【００１１】
以下、本発明の実施の形態について図面を参照して説明する。  
図１は、本実施の形態に係る熱転写記録方法が適用される熱転写記録装置の構成を模式的に示すものである。この熱転写記録装置は、カード類や通帳類などの被記録媒体に対しカラー画像（顔画像等）および文字情報（個人情報等）の記録と記録面への保護膜形成とを同時に行なうものである。
【００１２】
図１において、熱転写記録装置１は、記録手段として機能する記録部２、および、この記録部２の下方部に設けられた転写手段として機能する転写部３を備えて構成されている。  
記録部２は、複数の発熱体を列状に配設してなるライン型のサーマルヘッド４、サーマルヘッド４に相対向配設されたプラテンローラ５などを備えている。サーマルヘッド４とプラテンローラ５との間には、たとえば、イエロー（Ｙ）、マゼンタ（Ｍ）、シアン（Ｃ）、ブラック（Ｋ）の各色からなるカラーインク層および接着層として機能する無色あるいは炎色透明の樹脂を主成分とする透明インク層がフィルム状基材の一方の表面に順次設けられているカラーインクリボン６が介在されている。
【００１３】
プラテンローラ５は、カラーインクリボン６からカラーインク層の各インクを転写可能な受像層がフィルム状基材の一方の表面に設けられている中間転写リボン７を所定の速度で供給する供給手段として機能する。  
カラーインクリボン６は、その一端部が送出軸８に巻き付けられ、その他端部が巻取軸９に巻き付けられている。送出軸８および巻取軸９の少なくとも一方は、正逆両方向に独立に駆動可能である。送出軸８から送出されたカラーインクリボン６の中途部は、ガイドシャフト１０，１１に掛け渡されている。
【００１４】
転写部３は、転写ローラとしてのヒートローラ１２、ヒートローラ１２に相対向配設されたバックアップローラ１３などを備えている。ヒートローラ１２は、加熱用のヒータ１２ａおよび円周の一部が切り欠かれたカット面１２ｂを備えている。そして、ヒートローラ１２とバックアップローラ１３との間には、中間転写媒体として機能する中間転写リボン７が介在されている。
【００１５】
中間転写リボン７は、その一端側が記録部２の上部側に設けられた送出軸１４に巻き付けられ、その他端側が記録部２の下部側に設けられた巻取軸１５に巻き付けられている。送出軸１４および巻取軸１５の少なくとも一方は、正逆両方向に独立に駆動可能である。また、これら送出軸１４および巻取軸１５は、記録部２に向けて中間転写リボン７を供給する供給手段として機能する。送出軸１４から送出された中間転写リボン７の中途部は、ガイドシャフト１６〜１８に掛け渡されているとともに、テンションローラ１９に掛け渡されてほぼ一定のテンションに維持されている。
【００１６】
また、転写部３は、搬送ローラ対２０，２１を備えている。搬送ローラ対２０は、ヒートローラ１２よりも搬送方向上流側に配置されている。また、搬送ローラ対２１は、ヒートローラ１２よりも搬送方向下流側に配置されている。
【００１７】
搬送ローラ対２０，２１は、通帳類取込口２２から挿入された被記録媒体（この実施の形態では記録頁が開かれた個人認証用の通帳類）Ｐを搬送路２３に沿ってヒートローラ１２による所定の転写位置まで搬送する。すなわち、これら搬送ローラ対２０，２１は、通帳類Ｐの記録頁における転写開始位置がヒートローラ１２による転写位置に整合するように通帳類Ｐを搬送する。
【００１８】
さらに、転写部３は、中間転写リボン７の供給路に沿って配置された検知手段として機能するセンサＳ１，Ｓ２を備えている。センサＳ１，Ｓ２は、中間転写リボン７の有効領域の外側に配置されたバーマークを光学的に検知するもので、その検知信号を出力する。  
また、転写部３は、通帳類Ｐの搬送路２３に沿って配置された検知手段として機能するセンサＳ３，Ｓ４を備えている。センサＳ３，Ｓ４は、通帳類取込口２２から挿入された通帳類Ｐの有無を光学的に検知するもので、その検知信号を出力する。
【００１９】
図２（ａ）は、記録終了後の通帳類Ｐの一例を示している。この図は、通帳類Ｐの所定の記録頁（記録面）を開いた状態で示しており、その記録頁３１上には当該通帳類Ｐの所持者の顔画像３２がカラーで記録されているとともに、文字情報（個人情報等）３３が黒色で記録されている。顔画像３２および文字情報３３が記録された記録頁３１の全面（斜線領域）には透明な保護層３４が形成されている。また、図２（ｂ）に示すように、記録頁３１上にシール３５などが貼付されている場合もある。
【００２０】
図３は、中間転写リボン７の構成を示している。中間転写リボン７は、たとえば、ベース層（フィルム状基材）４１の一方の表面に透明な保護層４２および画像が形成される受像層４３が順次積層されて構成されている。なお、ベース層４１からの剥離を容易にするため、ベース層４１と保護層４２との間に剥離層を設けた構成でもかまわない。
【００２１】
図４は、制御系統を概略的に示すものである。図４において、装置全体を制御する制御手段として機能するＣＰＵ（セントラル・プロセッシング・ユニット）５１には、装置全体を制御するための制御プログラムなどを記憶したメモリ部５２や、ホストコンピュータなどの外部機器から記録に必要な記録データなどを受信するインタフェース部５３などが接続されている。インタフェース部５３を介して受信した記録データは、メモリ部５２に一時的に記憶される。
【００２２】
また、ＣＰＵ５１には、サーマルヘッド制御回路５４、記録部搬送制御回路５５、ヒータ温度制御回路５６、ヒートローラ回転制御回路５７、転写部搬送制御回路５８、通帳類搬送制御回路５９、および、センサ入力回路６０などが接続されている。
【００２３】
サーマルヘッド制御回路５４は、記録データに基づいてサーマルヘッド４の印刷動作を制御する。記録部搬送制御回路５５は、記録部２における搬送機構として機能する送出軸８および巻取軸９の駆動を制御する。ヒータ温度制御回路５６は、ヒートローラ１２内のヒータ１２ａを駆動して、ヒートローラ１２を所定の温度に維持するよう制御する。
【００２４】
ヒートローラ回転制御回路５７は、ヒートローラ１２の回転駆動を制御する。すなわち、ヒートローラ回転制御回路５７は、通帳類Ｐの記録面３１に対する転写開始位置と、ヒートローラ１２による中間転写リボン７上に記録された所定情報の転写位置とを整合した状態で、ヒートローラ１２のカット面１２ｂのエッジ部を転写開始位置に当接させた後、所定方向にヒートローラ１２を回転させることにより、中間転写リボン７上の所定情報を通帳類Ｐの記録面３１に転写する。
【００２５】
転写部搬送制御回路５８は、転写部３における搬送機構として機能するプラテンローラ５、送出軸１４および巻取軸１５の駆動を制御する。通帳類搬送制御回路５９は、搬送ローラ対２０，２１の駆動を制御して、通帳類Ｐを通帳類取込口２２から取込み、所定の転写位置まで搬送し、転写完了した通帳類Ｐを通帳類取込口２２から排出する。
【００２６】
センサ入力回路６０は、センサＳ１，Ｓ２からの出力信号に基づいて中間転写リボン７のバーマークを検知する。また、センサ入力回路６０は、センサＳ３，Ｓ４からの出力信号に基づいて通帳類Ｐの有無を検知する。
【００２７】
次に、このような構成において熱転写記録装置１の全体的な動作を簡単に説明する。  
まず、記録部２では、透明な保護層４２があらかじめ付与された中間転写リボン７の受像層４３の表面に、サーマルヘッド４とカラーインクリボン６とによって顔画像や文字情報等が記録される。このとき、中間転写リボン７の記録位置を制御するため、送出軸１４から繰り出された中間転写リボン７のバーマークをセンサＳ１によって検知することで、所定の位置に記録を行なう。
【００２８】
記録される情報はＹ，Ｍ，Ｃ，Ｋの４色重ね合わせによるカラー記録で、必要に応じてカラーインクリボン６を単色や複数色繰り返し塗布すればよい。また、文字情報の記録のために溶融黒インク、カラー記録のためにＹ，Ｍ，Ｃの昇華染料が繰り返し塗布されていてもよい。複数色の重ね合わせ記録の場合は、中間転写リボン７がサーマルヘッド４を色数と同じ回数往復することで、重ね合わせ記録が行なわれる。中間転写リボン７の搬送は、主にプラテンローラ５によって速度が決まり行なわれるため、プラテンローラ５の駆動は例えば５相ステッピングモータに減速機構を組合わせることにより正確に行なわれる。また、記録される情報は反転画像であるという特徴がある。
【００２９】
次に、記録部２では、中間転写リボン７の顔画像や文字情報等を記録した受像層４３の表面に、サーマルヘッド４とカラーインクリボン６とによって接着層として機能する無色あるいは炎色透明の樹脂を主成分とする透明インク層を転写する。
【００３０】
次に、転写部３では、記録部２で記録情報が付与された中間転写リボン７の記録面（受像層４３の表面で、接着層としての透明インク層が転写された面）と通帳類Ｐの記録頁３１とを重ね合わせて、ヒートローラ１２による加圧・加熱を行なうことにより、透明インク層を介しての記録情報（受像層４３）と保護層４２の転写を同時に行なう。このとき、中間転写リボン７と通帳類Ｐとの位置合わせは次のように行なわれる。
【００３１】
(1) 中間転写リボン７の該当転写領域が記録完了後、中間転写リボン７はヒートローラ１２の方向に巻取られ、経路途中のセンサＳ２によって中間転写リボン７の位置が把握される。その後、ヒートローラ１２の位置に対する中間転写リボン７の移動量が決められる。  
(2) 通帳類Ｐは、転写される記録頁３１がオペレータによって開かれた状態で通帳類取込口２２から取込まれて、ヒートローラ１２に対して決められた位置に搬送される。  
(3) 互いに位置決めが行なわれた中間転写リボン７と通帳類Ｐの記録頁３１は、ヒートローラ１２の回転と共に合わされ、加圧・加熱されることで、透明インク層を介しての転写が行なわれる。
【００３２】
こうして転写が完了した通帳類Ｐは、記録頁３１が開かれた状態のまま再び通帳類取込口２２からオペレータに向けて排出される。なお、本例では、ヒートローラ１２はＤＣサーボモータもしくはステッピングモータにより正確な速度で駆動されていて、回転自由なバックアップローラ１３との間にはコイルバネで発生された圧力がかかるようになっている。
【００３３】
図５は、中間転写リボン７から通帳類Ｐの記録頁３１への転写動作を模式的に示している。ヒートローラ１２による加圧・加熱動作により、中間転写リボン７の保護層４２、受像層４３、サーマルヘッド４で記録された情報（顔画像や文字情報など）４４、および、サーマルヘッド４で転写された透明インク層（接着層）４５が記録頁３１の表面に転写される。  
なお、本例（図５）では、ヒートローラ１２の通過直後において中間転写リボン７のベース層４１を剥離しているが、図１で示したように剥離ガイド（ガイドシャフト１８）をヒートローラ１２から離れた位置に配設し、中間転写リボン７をヒートローラ１２で加熱した後から剥離ガイド１８までの搬送時間に冷却することで、ベース層４１からの剥離パラメータを変化させることも可能である。
【００３４】
図６は、本発明に係るサーマルヘッド４の駆動方法を説明する模式図を示している。サーマルヘッド４の各発熱体に選択的に通電することにより熱を発生させ、カラーインクリボン６の各インクを溶かすことで記録する。このとき、図６に示すように、通電していない部分（非斜線部分）と通電している部分（斜線部分）との１組を１パルスとし、このパルス数を変えることで任意の記録濃度を再現させている。図６の例では、たとえば、中間濃度を記録する場合は３パルスの通電を行ない、最高濃度を記録する場合は６パルスの通電を行なうことで、実現させている。
【００３５】
図７は、カラー画像（顔画像等）および文字情報（個人情報等）の記録（図７（ａ））と、これに対するサーマルヘッド４の接着層転写時の加熱エネルギ（図７（ｂ））の関係を模式図で示すものである。  
図中、加熱エネルギＥ１１は、中間転写リボン７の受像層４３の表面上に直接に接着層（透明インク層）４５を転写する際に隙間なく接着層４５が中間転写リボン７の受像層４３上に転写できるエネルギである。  
加熱エネルギＥ１２は、中間転写リボン７の受像層４３の表面上にカラー画像（顔画像等）３２を記録した後に接着層４５を転写する際に隙間なく接着層４５が中間転写リボン７の受像層４３上に転写できるエネルギである。  
加熱エネルギＥ１３（斜線部）は、中間転写リボン７の受像層４３の表面上に文字情報（個人情報等）３３を記録した後に接着層４５を転写する際に隙間なく接着層４５が中間転写リボン７の受像層４３上に転写できるエネルギである。
【００３６】
図８は、図７のようにカラー画像３２および文字情報３３の記録がある場合の、接着層転写時の加熱エネルギを１画素（１発熱体）ごとに決定する処理の流れを示すフローチャートであり、以下、このフローチャートに基づく処理について説明する。
【００３７】
まず、接着層（透明インク層）４５を転写する領域（以降、接着層転写領域ともいう）か否かを判定し（ステップＳ１）、接着層転写領域でなければ接着層転写領域の加熱エネルギを「０」に設定し（ステップＳ２）、当該処理を終了する。  
ステップＳ１における判定の結果、接着層転写領域であれば、カラー画像（顔画像等）３２を記録した画素であるか否かを判定し（ステップＳ３）、カラー画像３２を記録した画素である場合、接着層転写領域の加熱エネルギを「Ｅ１２」に設定し（ステップＳ４）、当該処理を終了する。
【００３８】
ステップＳ３における判定の結果、カラー画像３２を記録した画素でない場合、文字情報（個人情報等）３３を記録した画素であるか否かを判定し（ステップＳ５）、文字情報３３を記録した画素である場合、接着層転写領域の加熱エネルギを「Ｅ１３」に設定し（ステップＳ６）、当該処理を終了する。  
ステップＳ５における判定の結果、文字情報３３を記録した画素でない場合、接着層転写領域の加熱エネルギを「Ｅ１１」に設定し（ステップＳ７）、当該処理を終了する。
【００３９】
なお、接着層４５の転写順は、カラー画像３２および文字情報３３を記録した後（カラー画像３２と文字情報３３の記録順序は逆になっても構わない）、最後に接着層４５の転写を行なう。接着層４５の転写を行なうとき、接着層４５の転写領域の加熱エネルギはＥ１１であるが、接着層４５の転写前にカラー画像３２と文字情報３３を記録している領域は加熱エネルギＥ１１と異なる加熱エネルギで接着層４５を転写する。すなわち、カラー画像３２の記録を行なった領域では加熱エネルギをＥ１２とし、文字情報３３の記録を行なった領域では加熱エネルギをＥ１３として接着層４５の転写を行なう。
【００４０】
図９は、被記録媒体Ｐ上に貼付されている第１のシール３５ａおよび第２のシール３５ｂ（図９（ａ））と、これに対するサーマルヘッド４の接着層転写時の加熱エネルギ（図９（ｂ））の関係を模式図で示すものである。  
図中、加熱エネルギＥ２１は、中間転写リボン７の受像層４３の表面上に接着層（透明インク層）４５を転写し、その後、中間転写リボン７の受像層４３を接着層４５を介して被記録媒体Ｐ上に転写した後の接着力が最適な状態になるエネルギである。  
加熱エネルギＥ２２は、中間転写リボンの受像層４３の表面上に被記録媒体Ｐ上の第１のシール３５ａと転写後重なる位置に接着層４５を転写し、その後、中間転写リボン７の受像層４３を接着層４５を介して被記録媒体Ｐ上に転写した後の第１のシール３５ａ上の接着力が最適な状態になるエネルギである。
【００４１】
加熱エネルギＥ２３は、中間転写リボンの受像層４３の表面上に被記録媒体Ｐ上の第２のシール３５ｂと転写後重なる位置に接着層４５を転写し、その後、中間転写リボン７の受像層４３を接着層４５を介して被記録媒体Ｐ上に転写した後の第２のシール３５ｂ上の接着力が最適な状態になるエネルギである。
【００４２】
図１０は、図９のように被記録媒体Ｐ上に第１のシール３５ａおよび第２のシール３５ｂがある場合の、接着層転写時の加熱エネルギを１画素（１発熱体）ごとに決定する処理の流れを示すフローチャートであり、以下、このフローチャートに基づく処理について説明する。
【００４３】
まず、接着層（透明インク層）４５を転写する領域（以降、接着層転写領域ともいう）か否かを判定し（ステップＳ１１）、接着層転写領域でなければ接着層転写領域の加熱エネルギを「０」に設定し（ステップＳ１２）、当該処理を終了する。  
ステップＳ１１における判定の結果、接着層転写領域であれば、第１のシール３５ａが存在する領域か否かを判定し（ステップＳ２３）、第１のシール３５ａの領域である場合、接着層転写領域の加熱エネルギを「Ｅ２２」に設定し（ステップＳ１４）、当該処理を終了する。
【００４４】
ステップＳ１３における判定の結果、第１のシール３５ａの領域でない場合、第２のシール３５ｂが存在する領域か否かを判定し（ステップＳ１５）、第２のシール３５ｂの領域である場合、接着層転写領域の加熱エネルギを「Ｅ２３」に設定し（ステップＳ１６）、当該処理を終了する。  
ステップＳ１５における判定の結果、第２のシール３５ｂの領域でない場合、接着層転写領域の加熱エネルギを「Ｅ２１」に設定し（ステップＳ１７）、当該処理を終了する。
【００４５】
このように、接着層４５の転写を行なうとき、接着層４５の転写領域の加熱エネルギはＥ１であるが、被記録媒体Ｐ上に表面状態の異なる物（第１のシール３５ａや第２のシール３５ｂなど）がある場合、第１のシール３５ａおよび第２のシール３５ｂがある領域はＥ２１と異なる加熱エネルギで接着層４５を転写する。すなわち、第１のシール３５ａが存在する領域では加熱エネルギをＥ２２とし、第２のシール３５ｂが存在する領域では加熱エネルギをＥ２３として接着層４５の転写を行なう。
【００４６】
以上説明した熱転写記録方法（熱転写記録装置）によれば、透明インク層（接着層）の転写領域全面に対して均一な転写状態を作ることができる。また、透明インク層（接着層）の転写領域全面に対して転写後の接着力を均一な状態にすることができる。したがって、受像層のこすれ等による剥がれや偽変造の防止が図れる。
【００４７】
図１１は、上述した熱転写記録方法（熱転写記録装置）によって得られた記録物の第１の例を模式的に示すものである。図において、被記録媒体７１（図２の被記録媒体Ｐに相当）上に、無色あるいは炎色透明の樹脂を主成分とする透明インク層（接着層）７２（図５の接着層４５に相当）、１色以上の色インクを重ねて形成された画像形成層７３（画像が形成形成された受像層４３に相当）、無色あるいは淡色な透明保護層７４（図３の保護層４２に相当）の順に形成されている。そして、接着層としての透明インク層７２は、画像形成層７３が形成された領域よりも大きい範囲に厚さが一様に形成されている。  
このように、透明インク層７２の転写領域全面に対して均一な転写状態を作られた記録物が得られるので、画像形成層（受像層）７３のこすれ等による剥がれが防止でき、偽変造防止につながる。
【００４８】
図１２は、上述した熱転写記録方法（熱転写記録装置）によって得られた記録物の第２の例を模式的に示すものである。図において、被記録媒体８１（図２の被記録媒体Ｐに相当）上に、無色あるいは炎色透明の樹脂を主成分とする透明インク層（接着層）８２（図５の接着層４５に相当）、１色以上の色インクを重ねて形成された第１の画像領域８３と１色以上の色インクとＵＶ励起型の蛍光顔料を含むインクとが重なって形成された第２の画像領域８４と１色の色インクから形成された第３の画像領域８５とＵＶ励起型の蛍光顔料を含むインクから形成された第４の画像領域８６と画像が形成されていない非画像領域８７とからなる画像形成層８８、無色あるいは淡色な透明保護層８９（図３の保護層４２に相当）の順に形成されている。そして、接着層としての透明インク層８２は、画像形成層８８の中で画像が形成された領域よりも大きい範囲に厚さが一様に形成されている。  
このように、透明インク層８２の転写領域全面に対して均一な転写状態を作られた記録物が得られるので、画像形成層（受像層）８８のこすれ等による剥がれが防止でき、偽変造防止につながる。
【図面の簡単な説明】
【００４９】
【図１】本発明の本実施の形態に係る熱転写記録装置の構成を概略的に示す模式図。
【図２】記録終了後の通帳類の一例を示す模式図。
【図３】中間転写リボンの構成を示す模式図。
【図４】制御系統を概略的に示すブロック図。
【図５】中間転写リボンから通帳類の記録頁への転写動作を模式的に示す側面図。
【図６】本発明に係るサーマルヘッドの駆動方法を説明する模式図。
【図７】カラー画像（顔画像等）および文字情報（個人情報等）の記録と、これに対するサーマルヘッドの接着層転写時の加熱エネルギの関係を示す模式図。
【図８】カラー画像および文字情報の記録がある場合の接着層転写時の加熱エネルギを１画素（１発熱体）ごとに決定する処理の流れを示すフローチャート。
【図９】被記録媒体上に貼付されている第１のシールおよび第２のシールと、これに対するサーマルヘッドの接着層転写時の加熱エネルギの関係を示す模式図。
【図１０】被記録媒体上に第１のシールおよび第２のシールがある場合の接着層転写時の加熱エネルギを１画素（１発熱体）ごとに決定する処理の流れを示すフローチャート。
【図１１】本発明の熱転写記録方法（熱転写記録装置）によって得られた記録物の第１の例を模式的に示す縦断側面図。
【図１２】本発明の熱転写記録方法（熱転写記録装置）によって得られた記録物の第２の例を模式的に示す縦断側面図。
【符号の説明】
【００５０】
１…熱転写記録装置、２…記録部（記録手段）、３…転写部（転写手段）、４…サーマルヘッド、５…プラテンローラ、６…カラーインクリボン、７…中間転写リボン（中間転写媒体）、８…送出軸、９…巻取軸、１２…ヒートローラ、１３…バックアップローラ、１４…送出軸、１５…巻取軸、２０，２１…搬送ローラ対、２２…通帳類取込口、２３…搬送路、Ｐ…通帳類（被記録媒体）、３１…記録頁、３２…顔画像、３３…文字情報（個人情報等）、３４…保護層、３５…シール等、４１…ベース層（フィルム状基材）、４２…保護層、４３…受像層、４４…記録された情報（顔画像や文字情報など）、４５…透明インク層（接着層）、５１…ＣＰＵ（制御手段）、Ｅ１１，Ｅ１２，Ｅ１３…加熱エネルギ、Ｅ２１，Ｅ２２，Ｅ２３…加熱エネルギ、７１…被記録媒体、７２…透明インク層（接着層）、７３…画像形成層、７４…透明保護層、８１…被記録媒体、８２…透明インク層（接着層）、８３…第１の画像領域、８４…第２の画像領域、８５…第３の画像領域、８６…第４の画像領域、８７…非画像領域、８８…画像形成層、８９…透明保護層。
【図１】
2006327035.tif 000003
【図２】
2006327035.tif 000004
【図３】
2006327035.tif 000005
【図４】
2006327035.tif 000006
【図５】
2006327035.tif 000007
【図６】
2006327035.tif 000008
【図７】
2006327035.tif 000009
【図８】
2006327035.tif 000010
【図９】
2006327035.tif 000011
【図１０】
2006327035.tif 000012
【図１１】
2006327035.tif 000013
【図１２】
2006327035.tif 000014